(57)【特許請求の範囲】
【請求項１】
ダム堤内に設けられる通廊斜路を構築するプレキャストコンクリート部材であって、上下の開口面を平行な水平とし、傾斜した左右の側壁と、直立した前後壁面とに囲まれた筒型の躯体からなり、左右の側壁のうち通廊斜路の下方になる側壁に階段又は排水溝を一体に設け、左右の側壁のうち通廊斜路の上方になる側壁の中央部を水平方向に突出させたことを特徴とする斜路構築用通廊ブロック。
【請求項２】
上下方向の躯体高よりも左右方向の躯体長が大なことを特徴とする請求項１記載の斜路構築用通廊ブロック。
【請求項３】
打設されたコンクリートとの躯体の接触面が粗面よりなることを特徴とする請求項１又は２いずれか記載の斜路構築用通廊ブロック。
【請求項４】
請求項１〜３いずれか記載の斜路構築用通廊ブロックを用い、下段の該斜路構築用通廊ブロックの上部開口面の水準以下に打設されたコンクリートの固化後、前記斜路構築用通廊ブロックの上部開口面に上段の斜路構築用通廊ブロックの下部開口面を合わせ、次いで上段の斜路構築用通廊ブロックの上部開口面の水準以下にコンクリートを打設する工程を順次繰り返すことを特徴とする通廊斜路構築方法。
【発明の詳細な説明】
【０００１】
【発明の属する技術分野】
本発明はダム通廊等、傾斜トンネル状に通廊を形成することが可能な斜路構築用通廊ブロックとそれを用いる通廊斜路構築方法に関する。
【０００２】
【従来の技術】
ダムの堤体の内部には、堤体の構造の安全性を監視する監視廊として、あるいは堤体各部へ至る連絡路として、更に、排水孔や漏水の堤体外への排水施設の設置場所として、場合により、基礎クラウチングの施工場所等として通廊斜路が設けられている。本発明は主としてこの通廊斜路に用いて施工するのに最適である。
【０００３】
通廊斜路には、水平部と同様に、省力化、工程短縮、安全性確保等の面からプレキャストコンクリート部材を用いるのが一般化しつつある。例えば、特開平06-116929号にみられるように、水平部に積層された多段の両側壁上に、天端ブロックが蓋状に被せられ、最初の階段部ブロックの上方にあたる１つ手前には、天端ブロックに代えて接続部ブロックが蓋状に被せられ、この後、この接続部ブロックの上部に、最初の斜路部天端ブロックが、接続部ブロックに設けられている傾斜部と接続するように配置され、以降この斜路部天端ブロックの傾斜が連続するよう積層されていき、監査廊の水平部と斜路部とを構築した構造がある。この構造は、プレキャストコンクリート部材を用いたことから、内型枠及び鉄筋組立が不要で、特殊作業とならず熟練工が不要となるなどの特徴を有している。しかし、多段積みや使用部材が多い点が作業能率の面や強度面から課題を残している。
【０００４】
この従来例における使用プレキャストコンクリート部材が多い点は、前後に開口部を有する一体型プレキャストコンクリート製の斜廊セルの直立配置によって解決している。その様子は図12に示すが、斜廊セル21の後方の堤体コンクリート22上に載置架台23を設置し、この載置架台23上に新たな斜廊セル21を載置して斜廊セル同士を接合一体化し、この新たな斜廊セル21の底面周辺を残して所定高さに堤体コンクリートを打設した後、この斜廊セル底面周辺部分に流動性固結材を打設して通廊セルの底面下方の空隙に流動させて充填し、さらに所要数の斜廊セルを順次同様に接合一体化しながら堤体コンクリートを段階的に打設して通廊斜路を構築するのである（特開平08-184025号）。通廊斜路には少なくとも階段24が設けられている。階段はセルと一体型としている。斜廊セル21を順次斜め上方へ直立配置して接合一体化するためには、斜廊セル21の載置架台23を順次斜め上方へ配置する必要があり、そのための資材と手間を多く要している。
【０００５】
また、図13に示すように、矩形のボックス型セル25を傾斜配置し、接合一体化しながら堤体コンクリートを段階的に打設して通廊斜路を構築する例も知られている（特開2000-73339）。この例では高荷重のボックス型セル25を斜め吊り作業をしなければならない難点と、堤体コンクリートを所定高さに打設し、それが硬化するまでの間、不安定な斜めの状態を維持しなければならないので、架台も大きくならざるを得ない難点がある。
【０００６】
【発明が解決しようとする課題】
そこで、本発明者等は、ダムの堤体はもちろんのこと、その他の場所も含めて通廊斜路の構築に際して、一体型のプレキャストコンクリート部材でありながら架台を必要とせず、接合する相手のブロックが架台となって安定し、作業性がよくて省力化できるブロックとそれを用いる通廊斜路の構築方法を検討した。
【０００７】
【課題を解決するための手段】
本発明は、プレキャストコンクリート部材であって、上下に開口面を有し、該上下の開口面が平行な水平をなし、少なくとも左右の側壁が構築される通廊斜路の上方に向かって傾斜した斜路構築用通廊ブロックとした。このプレキャストコンクリート部材の斜路構築用通廊ブロックは、躯体の開口面又は横断面を方形、円形、楕円形、多角形、門形等種々の形状にすることができる。開口面には上下の斜路構築用通廊ブロックの接合強度を増すために各種継ぎ手を設けることもできる。
【０００８】
また、ダム堤内に設けられ、通廊斜路を構築するプレキャストコンクリート部材であって、平行な上下開口面を有し、構築される通廊斜路の上方に向かって傾斜した左右の側壁と、直立した前後壁面に囲まれた筒型の斜路構築用通廊ブロックとした。左右の側壁が傾斜しているので、上下の開口面は左右にズレている。
【０００９】
ダム堤内の通廊斜路には少なくとも階段と排水溝が必要である。本発明の斜路構築用通廊ブロックは、階段又は排水溝を一体で設けることもできるし、別体で形成したものを後付けで設けることもできる。しかし、通廊斜路の構築時の作業性や斜路構築用通廊ブロックの製作手間などを考慮すると、左右の側壁のうち、通路下方となる側壁に階段又は排水溝を一体化するのが好ましい。すなわち、通路下方となる側壁は通路床面、通路上方となる側壁は通路天井面を構成する。階段と排水溝以外にも車両走行のための通路や軌道敷設のための平坦面とすることもできる。
【００１０】
本発明の斜路構築用通廊ブロックの左右側壁のうち、通路上方（天井側）になる側壁は、製作容易性、通廊斜路の強度や審美性等から中央部を水平方向に突出させる、具体的には三面形状とするのが好ましい。また、左右側壁又は前後壁面のいずれかの壁面内には配管や配線のための溝を設けることもできる。
【００１１】
この斜路構築用通廊ブロックは、架台を用いることなく、水平な開口面を合わせて一躯体ずつ斜め上方へ積む構造である。安定性、作業性、搬送時や積層時の安全性等に配慮すると、上下方向の躯体高よりも左右方向の躯体長を大にした方がよい。また、斜路構築用通廊ブロックの躯体の打設されたコンクリートとの接触面は粗面とすることにより、打設されたコンクリートとの一体化ができて強固な構築物となる。
【００１２】
本発明の通廊斜路構築方法は、前記本発明の斜路構築用通廊ブロックを用い、下段の該斜路構築用通廊ブロックの上部開口面の水準以下に打設されたコンクリートの固化後、前記斜路構築用通廊ブロックの上部開口面に上段の斜路構築用通廊ブロックの下部開口面を合わせ、次いで上段の斜路構築用通廊ブロックの上部開口面の水準以下にコンクリートを打設する工程を任意の高さまで順次繰り返すことを特徴とする。
【００１３】
通廊斜路の水平部と斜路部とからなる部分では、最下段のみ打設されたコンクリートの高さよりも小さい躯体高の斜路構築用通廊ブロックを水平な施工基礎面に設置し、その上部開口面に打設されたコンクリートの高さの前記斜路構築用通廊ブロックを接合後、コンクリート打設する工程を任意の高さまで順次繰り返して通廊斜路を構築する。本発明の斜路構築用通廊ブロックにおいても使用時に吊り作業を伴うが、そのために、上部当接面へ吊り輪等の玉掛け作業ができる部材を製造時に一体化しておくとよい。
【００１４】
接合時の位置合わせを確実にするために、上部開口面と下部開口面の当接面にはピン穴を設けておき、下段の斜路構築用通廊ブロックの上部開口面の当接面に挿入した接合ピンの突出端へ、上段の斜路構築用通廊ブロックの下部開口面の当接面にあるピン穴を合わせることによって位置決めが正確にできる。また、堤体コンクリートが固化するまでの間安定に維持するために、上下の斜路構築用通廊ブロック間に亘って連結金具を用いることも有効である。連結金具としては、上下両側にボルト挿通孔を有する短冊状プレートを用い、上段の斜路構築用通廊ブロックに一方のボルト挿通孔を用いてボルト止めすると共に、上段の斜路構築用通廊ブロックにもう一方のボルト挿通孔を用いてボルト止めして、上下の斜路構築用通廊ブロックの移動や分離するのを防ぐことができる。
【００１５】
【発明の実施の形態】
以下本発明を実施例図面によって詳細に説明する。図１は本発明の斜路構築用通廊ブロックの平面図、図２は正面図、図３は図１中Ａ−Ａ部断面図、図４は図１中Ｂ−Ｂ部断面図、図５は図１中Ｃ−Ｃ部断面図である。このプレキャストコンクリート部材の斜路構築用通廊ブロック１は、上下方向に連通した開口面２,３があり、その上下の開口面２,３が平行な水平をなしている。左右の側壁４,５は構築される通廊斜路の上方に向かって通廊斜路の傾斜角（勾配）と同じ角度αで傾斜している。前後の壁面は直立であり、側壁と前後壁面６,７に囲まれた筒型となっている。
【００１６】
左右の側壁４,５のうち、通路下方になる図１中左方の側壁４に階段８と排水溝９が一体に設けられている。図６に示すように、通廊斜路の上方に向かってこの斜路構築用通廊ブロック１の上下当接面10,11を合わせて順次積んで接合すると、連続した階段と排水溝ができる。安定性を持たせるために、上下方向の躯体高Ｈよりも左右方向の躯体長Ｗを大にした方がよい。また、斜路構築用通廊ブロックの躯体の打設されたコンクリートとの接触面を粗面とすることにより、打設されたコンクリートとの一体化を強くしている。
【００１７】
図６にみられるように、接合時の位置合わせを確実にするために、上部開口面と下部開口面の当接面にはピン穴を設けておき、下段の斜路構築用通廊ブロックの上部開口面の当接面10に挿入した接合ピン12の突出端へ、上段の斜路構築用通廊ブロックの下部開口面の当接面11にあるピン穴を合わせることによって位置決めが正確にできる。また、堤体コンクリートが固化するまでの間安定に維持するために、上下の斜路構築用通廊ブロック間に亘って短冊状プレートと止めボルトからなる連結金具13を用いている。
【００１８】
左右の側壁４,５のうち、通路上方の天井面になる側の側壁５は中央部が水平方向に突出した三面形状からなるものとしている。これは平面の三面から構成されているので、製造のための型の製作が容易である。
【００１９】
図７には本発明の斜路構築用通廊ブロック１を用い、下段の斜路構築用通廊ブロックの上部開口面の水準以下に打設されたコンクリートの固化後、前記斜路構築用通廊ブロックの上部開口面に上段の斜路構築用通廊ブロックの下部開口面を合わせ、次いで上段の斜路構築用通廊ブロックの上部開口面の水準以下にコンクリートを打設する工程を所定の高さまで順次繰り返すことによって、出来上がった通廊斜路の斜路部14の様子を示す。斜路部14の途中には水平部15が設けられている。斜路部14から水平部15の接合部は特別なプレキャストコンクリート又は現場打ちコンクリートで構築される。
【００２０】
図８に斜路部14と水平部15の接続部の様子を拡大図で示す。水平部15もプレキャストコンクリート部材であるカルバートを用いている。斜路部14と水平部15との接続部16においては、斜路部14に用いた２個の接続用斜路構築用通廊ブロック17,18の一端が垂直開口縁となっている。基礎部においては、図示することを省略するが、最下段のみ打設されたコンクリートの高さよりも小さい躯体高の斜路構築用通廊ブロックを水平な施工基礎面に設置し、その上部開口面に打設されたコンクリートの高さの斜路構築用通廊ブロックを接合後、コンクリートを打設する工程を任意の高さまで順次繰り返して通廊斜路を構築するのである。
【００２１】
図９に本発明の斜路構築用通廊ブロック１の躯体の開口面（又は横断面）を変えた実施例を示す。図10は図９中Ｄ−Ｄ断面図である。この例は左右の側壁４,５のうち、通路上方になる側の側壁５に円みを持たせてアーチ型としている。通路下方になる図９中左方の側壁４には階段８と排水溝９と、その間に走行車用の軌道又は車道等の走行平坦面19が一体に設けられている。加えて、側壁５（前後壁面６,７でもよい）の内部には外方に向けて凹溝の配線溝20を設けている。
【００２２】
図11は本発明の斜路構築用通廊ブロック１の躯体を略円形断面とした例の斜視図である。階段８と排水溝９がこれまでの例同様に設けられている。この例でも配線溝20を設けることができる。水平積みが可能な点はこれまでと同様である。上下当接面10,11は雄雌継手としている。
【００２３】
【発明の効果】
本発明の斜路構築用通廊ブロックは、架台を用いることなく、先に施工した斜路構築用通廊ブロックと水平な開口面相互を合わせるだけで一躯体ずつ斜め上方へ積む自然な上昇施工ができる。安定性、作業性、搬送時や積層時の安全性が非常に高い。
【００２４】
プレキャストコンクリート製品であるから、製品の品質が一定している。階段部も一体化できるので、高度な専門技術者がいなくても施工ができる。また、ブロック製品の上にブロック製品を重ねる施工のため、斜路構築用通廊ブロックごとの設置面準備が不要となり工期短縮になる。ガイドピンによる接合が可能であるから、位置合わせも容易である。
【００２５】
本発明の斜路構築用通廊ブロックは、上下方向の躯体高よりも左右方向の躯体長を大にしたので安定した設置が可能である。作業性、搬送時や積層時の安全性もよい。また、構造上躯体高を一回で打設されるコンクリートの高さと同じにすることができ、型枠、支保工が不要で、施工した斜路構築用通廊ブロックを足場として使用できるため安全な作業ができる。
【００２６】
この斜路構築用通廊ブロックの躯体の打設されたコンクリートとの接触面を粗面としたことにより、コンクリートが一体化しやすい。また、通路上方になる側壁は、中央部を水平方向に突出させることにより、製作容易性、通廊斜路の強度や審美性等を高めることができた。
【００２７】
従来の縦型の斜廊セル使用の場合、底面周辺部分に流動性固結材を打設して通廊セルの底面下方の空隙に流動させて充填し、さらに所要数の斜廊セルを順次同様に接合一体化しながら堤体コンクリートを段階的に打設して通廊斜路を構築するが、本発明の斜路構築用通廊ブロックを用いる場合は、このような流動性固結材の使用が不要である。
【図面の簡単な説明】
【図１】本発明の斜路構築用通廊ブロックの平面図である。
【図２】同斜路構築用通廊ブロックの正面図である。
【図３】図１中Ａ−Ａ部断面図である。
【図４】図１中Ｂ−Ｂ部断面図である。
【図５】図１中Ｃ−Ｃ部断面図である。
【図６】本発明の斜路構築用通廊ブロックを順次積む様子を示した一部破断正面図である。
【図７】本発明の斜路構築用通廊ブロックを用いて構築された通廊斜路の正面図である。
【図８】斜路部と水平部の接続部の拡大断面図である。
【図９】本発明の斜路構築用通廊ブロックの他の実施例の平面図である。
【図１０】図９中Ｄ−Ｄ断面図である。
【図１１】本発明の斜路構築用通廊ブロックの他の実施例の斜視図である。
【図１２】従来の直立配置の斜廊セルを用いて構築された通廊斜路の断面図である。
【図１３】従来の矩形のボックス型セルを傾斜配置して構築された通廊斜路の断面図である。
【符号の説明】
１  斜路構築用通廊ブロック
２  開口面
３  開口面
４  側壁
５  側壁
６  前壁面
７  後壁面
８  階段
９  排水溝
10  上当接面
11  下当接面
12  接合ピン
13  連結金具
14  斜路部
15  水平部
16  接続部
17  接続用斜路構築用通廊ブロック
18  接続用斜路構築用通廊ブロック
19  平坦面
20  配線溝
【図１】
0003938862.tif 000002
【図２】
0003938862.tif 000003
【図３】
0003938862.tif 000004
【図４】
0003938862.tif 000005
【図５】
0003938862.tif 000006
【図６】
0003938862.tif 000007
【図７】
0003938862.tif 000008
【図８】
0003938862.tif 000009
【図９】
0003938862.tif 000010
【図１０】
0003938862.tif 000011
【図１１】
0003938862.tif 000012
【図１２】
0003938862.tif 000013
【図１３】
0003938862.tif 000014